(57)【特許請求の範囲】
【請求項１】
複数の地点についてのデータベースと、
検索手法を特定するための属性とキーワードとを対応付けたテーブルを記憶するテーブル記憶手段と、
キーワードの入力をユーザから受け付けるキーワード入力手段と、
前記テーブルを参照して、前記キーワード入力手段で入力されたキーワード（以下「入力キーワード」という）に前記属性を設定する設定手段と、
検索開始の指示をユーザから受け付ける開始入力手段と、
検索開始の指示を受け付けた際に、前記入力キーワードに設定されている属性により特定される検索手法を用いて当該入力キーワードに該当する地点を前記データベースから検索する検索手段と、
を備え、
前記キーワード入力手段は、
ユーザからの文字単位のキーワードの入力の受け付け中に、複数の文字からなるキーワードによる検索項目候補をあらかじめリスト化した検索リストを選択可能に提示し、当該検索リストの選択によって検索項目を選択する選択モードへの遷移をユーザから受け付ける遷移受付手段と、
前記選択モードへの遷移時には、特定の属性について前記検索リストのなかから選択された検索項目をユーザから受け付ける選択手段と、
前記キーワード入力手段により入力されたキーワード、および前記選択手段によって選択された検索項目を前記入力キーワードとして出力する出力手段と、
を有し、
前記設定手段は、前記入力キーワードが前記特定の属性についての検索リストの検索項目である場合には、当該特定の属性を前記入力キーワードに設定することを特徴とする地点検索装置。
【請求項２】
前記キーワード入力手段は、前記特定の属性である第１属性についての検索リストからユーザが選択した検索項目である第１キーワードおよびユーザが入力した第２キーワードを受け付け、
前記設定手段は、前記第１キーワードに前記第１属性を設定するとともに、前記テーブルを参照して前記第２キーワードに第２属性を設定し、
前記検索手段は、検索開始の指示を受け付けた際に、前記第１属性により特定される検索手法を用いて前記第１キーワードに該当し、かつ、前記第２属性により特定される検索手法を用いて前記第２キーワードに該当する地点を前記データベースから検索することを特徴とする請求項１に記載の地点検索装置。
【請求項３】
前記特定の属性は、地点のジャンルを対象として検索をおこなうジャンル検索を特定するジャンル属性または地点の住所またはエリアを対象として地点の検索をおこなう住所エリア検索を特定する住所エリア属性であることを特徴とする請求項１または２に記載の地点検索装置。
【請求項４】
前記キーワード入力手段は、前記キーワードの入力の受け付け中において所定時間以上キーワードの入力を受け付けない場合に、前記選択モードへの遷移を促す通知をおこなう通知手段をさらに備えることを特徴とする請求項１〜３のいずれか一つに記載の地点検索装置。
【請求項５】
前記キーワード入力手段は、
前記選択モードへの遷移期間中は、前記ユーザからの文字単位のキーワードの入力を受け付けないことを特徴とする請求項１〜４のいずれか一つに記載の地点検索装置。
【請求項６】
地点検索装置によって複数の地点についてのデータベースから特定の地点を検索する地点検索方法であって、
キーワードの入力をキーワード入力手段によりユーザから受け付けるキーワード入力工程と、
検索手法を特定するための属性とキーワードとを対応付けたテーブルを参照して、前記キーワード入力手段で入力されたキーワード（以下「入力キーワード」という）に前記属性を設定手段により設定する設定工程と、
検索開始の指示を開始入力手段によりユーザから受け付ける開始入力工程と、
検索開始の指示を受け付けた際に、前記入力キーワードに設定されている属性により特定される検索手法を用いて当該入力キーワードに該当する地点を前記データベースから検索手段により検索する検索工程と、
を含み、
前記キーワード入力工程では、
ユーザからの文字単位のキーワードの入力の受け付け中に、複数の文字からなるキーワードによる検索項目候補をあらかじめリスト化した検索リストを選択可能に提示し、当該検索リストの選択によって検索項目を選択する選択モードへの遷移を遷移受付手段によりユーザから受け付ける遷移受付工程と、
前記選択モードへの遷移時には、特定の属性について前記検索リストのなかから選択された検索項目をユーザから選択手段により受け付ける選択工程と、
前記キーワード入力手段により入力されたキーワード、および前記選択手段によって選択された検索項目を前記入力キーワードとして出力手段により出力する出力工程と、
を含み、
前記設定工程では、前記入力キーワードが前記特定の属性についての検索リストの検索項目である場合には、当該特定の属性を前記入力キーワードに設定することを特徴とする地点検索方法。
【請求項７】
請求項６に記載の地点検索方法をコンピュータに実行させることを特徴とする地点検索プログラム。
【請求項８】
請求項７に記載の地点検索プログラムを記録したことを特徴とするコンピュータに読み取り可能な記録媒体。
【請求項９】
キーワードの入力をユーザから受け付けるキーワード入力手段と、
前記キーワード入力手段で入力されたキーワード（以下「入力キーワード」という）に対応する検索手法を特定するための属性を設定する設定手段と、
検索開始の指示をユーザから受け付ける開始入力手段と、
検索開始の指示を受け付けた際に、前記入力キーワードに設定されている属性により特定される検索手法を用いて当該入力キーワードに該当する地点を検索する検索手段と、
を備え、
前記キーワード入力手段は、
ユーザからの文字単位のキーワードの入力の受け付け中に、複数の文字からなるキーワードによる検索項目候補をあらかじめリスト化した検索リストを選択可能に提示し、当該検索リストの選択によって検索項目を選択する選択モードへの遷移をユーザから受け付ける遷移受付手段と、
前記選択モードへの遷移時には、特定の属性について前記検索リストのなかから選択された検索項目をユーザから受け付ける選択手段と、
前記キーワード入力手段により入力されたキーワード、および前記選択手段によって選択された検索項目を前記入力キーワードとして出力する出力手段と、
を有し、
前記設定手段は、前記入力キーワードが前記特定の属性についての検索リストの検索項目である場合には、当該特定の属性を前記入力キーワードに設定することを特徴とする端末装置。
【請求項１０】
端末装置によって特定の地点を検索する地点検索方法であって、
キーワードの入力をキーワード入力手段によりユーザから受け付けるキーワード入力工程と、
前記キーワード入力工程で入力されたキーワード（以下「入力キーワード」という）に対応する検索手法を特定するための属性を設定手段により設定する設定工程と、
検索開始の指示を開始入力手段によりユーザから受け付ける開始入力工程と、
検索開始の指示を受け付けた際に、前記入力キーワードに設定されている属性により特定される検索手法を用いて当該入力キーワードに該当する地点を検索手段により検索する検索工程と、
を含み、
前記キーワード入力工程は、
ユーザからの文字単位のキーワードの入力の受け付け中に、複数の文字からなるキーワードによる検索項目候補をあらかじめリスト化した検索リストを選択可能に提示し、当該検索リストの選択によって検索項目を選択する選択モードへの遷移を遷移受付手段によりユーザから受け付ける遷移受付工程と、
前記選択モードへの遷移時には、特定の属性について前記検索リストのなかから選択された検索項目をユーザから選択手段により受け付ける選択工程と、
前記キーワード入力工程により入力されたキーワード、および前記選択工程によって選択された検索項目を前記入力キーワードとして出力手段から出力する出力工程と、
を含み、
前記設定工程は、前記入力キーワードが前記特定の属性についての検索リストの検索項目である場合には、当該特定の属性を前記入力キーワードに設定することを特徴とする地点検索方法。
【請求項１１】
請求項１０に記載の地点検索方法をコンピュータに実行させることを特徴とする地点検索プログラム。
【発明の詳細な説明】
【技術分野】
【０００１】
この発明は、地点検索装置、端末装置、地点検索方法、地点検索プログラム、および記録媒体に関する。
【背景技術】
【０００２】
近年、車両などの移動体には、目的地を設定することにより、当該目的地までの経路を誘導するナビゲーション装置が搭載されている。目的地や登録地などの設定は、ユーザが地図画面をスクロールして地図画面上の１点を特定することによっておこなわれるほか、検索画面からユーザが所望する項目を選択したりキーワードを入力したりすることによってもおこなわれる。
【０００３】
検索画面から目的地などを設定する場合には、住所検索、名称検索、ジャンル検索などの検索手法が用いられる（たとえば、下記特許文献１参照）。住所検索は、ユーザから入力される住所を用いて、住所の情報を格納するデータベースから当該住所に該当する地物を検索する手法である。また、名称検索は、ユーザから入力される施設名称などを用いて、名称に関する情報を記録するデータベースから当該名称に該当する地物を検索する手法である。さらに、ジャンル検索は、ユーザから入力されるジャンルを用いて、ジャンルに関する情報を記録するデータベースから、入力されたジャンルに該当する地物を検索する手法である。
【０００４】
【特許文献１】特開２００６−１３８７４３号公報
【発明の開示】
【発明が解決しようとする課題】
【０００５】
しかしながら、上述した特許文献１に記載の技術は、検索をおこなうにあたり、ユーザからの検索手法の設定を要するため、ユーザにとって煩わしいといった問題が一例として挙げられる。また、ユーザが検索手法を誤って設定した場合には、最初から入力し直す必要があるだけでなく、ユーザが検索手法を誤認している場合には、適正な検索結果を得ることができないといった問題が一例として挙げられる。
【０００６】
特に、特許文献１に記載の技術では、ユーザが検索機能を使い慣れていない場合や、検索するためのワードが思い浮かばない場合など、キーワードを入力することができない場合に、当該ユーザに対して、入力をサポートすることができず、検索に時間がかかるといった問題や、所望の検索をおこなうことができないといった問題が一例としてあった。
【課題を解決するための手段】
【０００７】
上述した課題を解決し、目的を達成するため、請求項１の発明にかかる地点検索装置は、複数の地点についてのデータベースと、検索手法を特定するための属性とキーワードとを対応付けたテーブルを記憶するテーブル記憶手段と、キーワードの入力をユーザから受け付けるキーワード入力手段と、前記テーブルを参照して、前記キーワード入力手段で入力されたキーワード（以下「入力キーワード」という）に前記属性を設定する設定手段と、検索開始の指示をユーザから受け付ける開始入力手段と、検索開始の指示を受け付けた際に、前記入力キーワードに設定されている属性により特定される検索手法を用いて当該入力キーワードに該当する地点を前記データベースから検索する検索手段と、を備え、前記キーワード入力手段は、ユーザからの文字単位のキーワードの入力の受け付け中に、複数の文字からなるキーワードによる検索項目候補をあらかじめリスト化した検索リストを選択可能に提示し、当該検索リストの選択によって検索項目を選択する選択モードへの遷移をユーザから受け付ける遷移受付手段と、前記選択モードへの遷移時には、特定の属性について前記検索リストのなかから選択された検索項目をユーザから受け付ける選択手段と、前記キーワード入力手段により入力されたキーワード、および前記選択手段によって選択された検索項目を前記入力キーワードとして出力する出力手段と、を有し、前記設定手段は、前記入力キーワードが前記特定の属性についての検索リストの検索項目である場合には、当該特定の属性を前記入力キーワードに設定することを特徴とする。
【０００８】
また、請求項６に記載の地点検索方法は、地点検索装置によって複数の地点についてのデータベースから特定の地点を検索する地点検索方法であって、キーワードの入力をキーワード入力手段によりユーザから受け付けるキーワード入力工程と、検索手法を特定するための属性とキーワードとを対応付けたテーブルを参照して、前記キーワード入力手段で入力されたキーワード（以下「入力キーワード」という）に前記属性を設定手段により設定する設定工程と、検索開始の指示を開始入力手段によりユーザから受け付ける開始入力工程と、検索開始の指示を受け付けた際に、前記入力キーワードに設定されている属性により特定される検索手法を用いて当該入力キーワードに該当する地点を前記データベースから検索手段により検索する検索工程と、を含み、前記キーワード入力工程では、ユーザからの文字単位のキーワードの入力の受け付け中に、複数の文字からなるキーワードによる検索項目候補をあらかじめリスト化した検索リストを選択可能に提示し、当該検索リストの選択によって検索項目を選択する選択モードへの遷移を遷移受付手段によりユーザから受け付ける遷移受付工程と、前記選択モードへの遷移時には、特定の属性について前記検索リストのなかから選択された検索項目をユーザから選択手段により受け付ける選択工程と、前記キーワード入力手段により入力されたキーワード、および前記選択手段によって選択された検索項目を前記入力キーワードとして出力手段により出力する出力工程と、を含み、前記設定工程では、前記入力キーワードが前記特定の属性についての検索リストの検索項目である場合には、当該特定の属性を前記入力キーワードに設定することを特徴とする。
【０００９】
また、請求項７に記載の地点検索プログラムは、請求項６に記載の地点検索方法をコンピュータに実行させることを特徴とする。また、請求項８に記載の記録媒体は、請求項７に記載の地点検索プログラムをコンピュータに読み取り可能に記録したことを特徴とする。
【００１０】
また、請求項９に記載の端末装置は、キーワードの入力をユーザから受け付けるキーワード入力手段と、前記キーワード入力手段で入力されたキーワード（以下「入力キーワード」という）に対応する検索手法を特定するための属性を設定する設定手段と、検索開始の指示をユーザから受け付ける開始入力手段と、検索開始の指示を受け付けた際に、前記入力キーワードに設定されている属性により特定される検索手法を用いて当該入力キーワードに該当する地点を検索する検索手段と、を備え、前記キーワード入力手段は、ユーザからの文字単位のキーワードの入力の受け付け中に、複数の文字からなるキーワードによる検索項目候補をあらかじめリスト化した検索リストを選択可能に提示し、当該検索リストの選択によって検索項目を選択する選択モードへの遷移をユーザから受け付ける遷移受付手段と、前記選択モードへの遷移時には、特定の属性について前記検索リストのなかから選択された検索項目をユーザから受け付ける選択手段と、前記キーワード入力手段により入力されたキーワード、および前記選択手段によって選択された検索項目を前記入力キーワードとして出力する出力手段と、を有し、前記設定手段は、前記入力キーワードが前記特定の属性についての検索リストの検索項目である場合には、当該特定の属性を前記入力キーワードに設定することを特徴とする。
【発明を実施するための最良の形態】
【００１１】
以下に添付図面を参照して、この発明にかかる地点検索装置、端末装置、地点検索方法、地点検索プログラム、および記録媒体の好適な実施の形態を詳細に説明する。
【００１２】
（実施の形態）
（地点検索装置の機能的構成）
この発明の実施の形態にかかる地点検索装置の機能的構成について説明する。図１は、本実施の形態にかかる地点検索装置の機能的構成の一例を示すブロック図である。
【００１３】
図１において、地点検索装置１００は、テーブル記憶部１１０と、キーワード入力部１２０と、設定部１３０と、データベース１４０と、開始入力部１５０と、検索部１６０と、検索出力部１７０とを備えて構成される。
【００１４】
テーブル記憶部１１０は、検索手法を特定するための属性とキーワードとを対応付けたテーブルを記憶する。検索手法は、地点の名称を対象として地点の検索をおこなう名称検索、地点のヨミを対象として地点の検索をおこなうヨミ検索、地点のジャンルを対象として検索をおこなうジャンル検索、地点の住所またはエリアを対象として地点の検索をおこなう住所エリア検索、地点の電話番号を対象として地点の検索をおこなう電話番号検索、などが挙げられる。
【００１５】
属性は、検索手法を特定するためのものであり、具体的には、名称検索を特定する名称属性、ヨミ検索を特定するヨミ属性、ジャンル検索を特定するジャンル属性、住所エリア検索を特定する住所エリア属性、電話番号検索を特定する番号属性、などが挙げられる。
【００１６】
キーワードは、具体的には、たとえば、複数の文字からなる単語であり、１文字の仮名、アルファベット、数字なども含む。テーブル記憶部１１０は、あるキーワードを検索する際に検索される可能性の高い属性を当該キーワードに対応付けて記憶する。具体例を挙げると、テーブル記憶部１１０は、「東京」や「さいたま」など地名を表すキーワードは、住所エリア属性に対応して記憶している。また、「ホテル」など施設の分類を表すキーワードは、ジャンル属性に対応して記憶している。さらに、「さいたま○×ホテル」など固有名称を示すキーワードは、特定の施設名称を表すため、名称属性として記憶している。
【００１７】
キーワード入力部１２０は、キーワードの入力をユーザから受け付ける。キーワード入力部１２０は、複数の入力キーワードを受け付け可能とする。キーワード入力部１２０は、具体的には、入力ボタンやタッチパネルを用いて、キーワードの入力を受け付ける。なお、キーワード入力部１２０へのキーワードの入力に際し、ユーザからの検索手法や属性などの設定をおこなう必要はなく、任意のキーワードを入力できるようになっている。
【００１８】
キーワード入力部１２０は、遷移受付部１２１と、選択部１２２と、出力部１２３と、通知部１２４とを備える。遷移受付部１２１は、キーワードの入力の受け付け中において、特定の属性について検索リストから検索項目を選択する選択モードへの遷移をユーザから受け付ける。特定の属性は、代表的には、地点のジャンルを対象として検索をおこなうジャンル検索を特定するジャンル属性または地点の住所またはエリアを対象として地点の検索をおこなう住所エリア検索を特定する住所エリア属性であるが、ヨミ属性、名称属性、電話番号属性とすることも可能である。選択モードは、キーワードを入力する通常の画面が表示される通常モードとは異なり、ユーザが検索リストから項目を選択するモードである。
【００１９】
選択部１２２は、選択モードへの遷移を受け付けた場合に、特定の属性についての検索リストを提示して、当該検索リストから検索項目の選択をユーザから受け付ける。検索リストは、たとえば特定の属性が住所エリア属性の場合、都道府県名や市町村名を列挙した検索項目のリストである。出力部１２３は、選択された検索項目を入力キーワードとして出力する。
【００２０】
設定部１３０は、テーブル記憶部１１０に記憶されるテーブルを参照して、キーワード入力部１２０にて入力されたキーワード（以下「入力キーワード」という）に属性を設定する。具体的には、設定部１３０は、入力キーワードがテーブル内のどのキーワードに合致するかを判定するとともに、合致したキーワードに対応する属性を、入力キーワードに設定する。
【００２１】
たとえば、「さいたま」という入力キーワードが入力された場合、設定部１３０は、テーブルを参照することにより、当該キーワードに住所エリア属性を設定する。また、「さいたま○×ホテル」という入力キーワードが入力された場合、設定部１３０は、テーブルを参照することにより、当該キーワードに名称属性を設定する。また、設定部１３０は、キーワード入力部１２０に入力キーワードが複数入力された場合に、テーブル記憶部１１０に記憶されるテーブルを参照して、各入力キーワードに属性を設定する。
【００２２】
また、設定部１３０は、入力キーワードが特定の属性についての検索リストの中から選択された検索項目である場合には、当該特定の属性を入力キーワードに設定する。具体的には、設定部１３０は、入力キーワードが住所エリア属性についての項目から選択されたものである場合、すなわち、検索リストの中から「埼玉県川越市」などが選択された入力キーワードである場合、当該入力キーワードに住所エリア属性を設定する。
【００２３】
データベース１４０は、検索対象となる複数の地点に関する情報を記憶する。地点に関する情報は、具体的には、当該地点の、施設名称、施設名称のヨミ、ジャンル名称、住所名称、緯度経度、電話番号、エリアコード、ジャンルコード、などの情報である。開始入力部１５０は、検索開始の指示をユーザから受け付ける。開始入力部１５０は、具体的には、入力ボタンやタッチパネルからなる。
【００２４】
検索部１６０は、検索開始の指示を受け付けた際に、入力キーワードに設定されている属性により特定される検索手法を用いて当該入力キーワードに該当する地点をデータベース１４０から検索する。具体例を挙げると、入力キーワードに住所エリア属性が設定されている場合には、検索部１６０は、住所エリア検索による検索手法を用いて入力キーワードに該当する地点を検索する。検索出力部１７０は、検索部１６０による検索結果を表示出力する。検索出力部１７０は、具体的には、ディスプレイやスピーカなどからなる。
【００２５】
また、本実施の形態において、キーワード入力部１２０は、特定の属性である第１属性についての検索リストからユーザが選択した検索項目である第１キーワードおよびユーザが入力した第２キーワードを受け付ける。キーワードを受け付ける順番は、第１キーワード、第２キーワードの順であるが、その逆の順とすることも可能である。
【００２６】
この場合、設定部１３０は、第１キーワードに第１属性を設定するとともに、テーブル記憶部１１０に記憶されているテーブルを参照して第２キーワードに第２属性を設定する。このような構成において、検索部１６０は、開始入力部１５０により検索開始の指示を受け付けた際に、第１属性により特定される検索手法を用いて第１キーワードに該当し、かつ、第２属性により特定される検索手法を用いて第２キーワードに該当する地点をデータベースから検索する。
【００２７】
また、本実施の形態において、キーワード入力部１２０は、通知部１２４を備えてもよい。通知部１２４は、キーワードの入力の受け付け中において所定時間以上キーワードの入力を受け付けない場合に、選択モードへの遷移を促す通知をおこなう。通知部１２４は、具体的には、ディスプレイやスピーカなどからなる。
【００２８】
（地点検索装置の地点検索処理手順）
つぎに、図２を用いて、地点検索装置１００の地点検索処理手順について説明する。図２は、本実施の形態にかかる地点検索装置１００の地点検索処理手順の一例を示すフローチャートである。
【００２９】
図２のフローチャートにおいて、地点検索装置１００は、遷移受付部１２１が選択モードへの遷移を受け付けたか否かを判断する（ステップＳ２０１）。選択モードへの遷移を受け付けるまで待機状態にあり（ステップＳ２０１：Ｎｏのループ）、選択モードへの遷移を受け付けると（ステップＳ２０１：Ｙｅｓ）、検索リストを提示する（ステップＳ２０２）。そして、検索項目の選択を受け付けたか否かを判断する（ステップＳ２０３）。
【００３０】
選択部１２２が検索項目の選択を受け付けるまで待機状態にあり（ステップＳ２０３：Ｎｏのループ）、検索項目の選択を受け付けると（ステップＳ２０３：Ｙｅｓ）、受け付けた検索項目を、出力部１２３が入力キーワードとして出力する（ステップＳ２０４）。このあと、設定部１３０が入力キーワードに属性を設定する（ステップＳ２０５）。
【００３１】
そして、検索開始の指示を受け付けたか否かを判断する（ステップＳ２０６）。検索開始の指示を受け付けるまで待機状態にあり（ステップＳ２０６：Ｎｏのループ）、検索開始の指示を受け付けると（ステップＳ２０６：Ｙｅｓ）、検索部１６０が、属性により特定される検索手法を用いて入力キーワードに該当する地点を検索する（ステップＳ２０７）。このあと、検索出力部１７０が検索結果を出力し（ステップＳ２０８）、一連の処理を終了する。
【００３２】
以上説明したように、本実施の形態にかかる地点検索装置１００によれば、選択モードにて提示した検索リストから検索項目の選択をユーザから受け付け、受け付けた検索項目を入力キーワードとして、当該入力キーワードに特定の属性を設定して検索をおこなうようにしたので、ユーザが検索機能を使い慣れていない場合や、検索するためのワードが思い浮かばない場合などに、キーワードの入力をサポートすることができる。したがって、検索を迅速におこなうことができるとともに、ユーザが所望する検索をおこなうことができる。また、当該機能を使い慣れたユーザにとっては、たとえば、地名などを操作入力せずに、検索リストからキーワードを選択することができるので、検索を迅速におこなうことができる。
【００３３】
また、本実施の形態にかかる地点検索装置１００によれば、検索をおこなうにあたりユーザからの検索手法の設定を要することのない、所謂フリーキーワードによる検索をおこなうことができる。これにより、ユーザは、検索手法を設定することによる煩わしさを軽減できるとともに、ユーザによる検索手法の誤認に伴う誤った検索を抑止することができることにより、的確な検索結果を得ることができる。
【００３４】
また、選択モードにて選択された第１キーワードに第１属性を設定し、ユーザ入力による第２キーワードに第２属性を設定し、第１属性により特定される検索手法を用いて第１キーワードに該当し、かつ、第２属性により特定される検索手法を用いて第２キーワードに該当する地点を検索するようにすれば、選択モードにて選択された第１キーワードおよびユーザ入力による第２キーワードによるＡＮＤ検索をおこなうことができる。したがって、ユーザにとって煩雑な操作となる入力については、検索リストから選択し、具体的なキーワードの入力については、手動入力することにより、迅速且つ的確な検索をおこなうことができる。
【００３５】
また、特定の属性をジャンル属性または住所エリア属性とすれば、ユーザにとって煩雑な操作となる入力に対して、検索リストからの入力をおこなうことができる。
【００３６】
また、キーワードの入力の受け付け中において所定時間以上キーワードの入力を受け付けない場合に、選択モードへの遷移を促す通知をおこなうようにすれば、ユーザが検索機能を使い慣れていない場合や、検索するためのワードが思い浮かばない場合など、所定時間以上キーワードの入力がない場合に、選択モードへの遷移を促すことにより、キーワードの入力をサポートし、迅速且つ的確な検索をおこなうことができる。
【実施例】
【００３７】
以下に、本発明の実施例について説明する。本実施例では、車両に搭載されるナビゲーション装置によって、本発明の地点検索装置１００を実施した場合の一例について説明する。
【００３８】
（ナビゲーション装置のハードウェア構成）
図３を用いて、本実施例にかかるナビゲーション装置のハードウェア構成について説明する。図３は、本実施例にかかるナビゲーション装置のハードウェア構成の一例を示すブロック図である。
【００３９】
図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、ＧＰＳユニット３１４と、各種センサ３１５とを備えている。また、各構成部３０１〜３１５はバス３２０によってそれぞれ接続されている。
【００４０】
ＣＰＵ３０１は、ナビゲーション装置３００の全体の制御を司る。ＲＯＭ３０２は、ブートプログラム、現在位置算出プログラム、経路探索プログラム、経路誘導プログラム、キーワード入力プログラムと、属性設定プログラム、情報検索プログラムなどの各種プログラムを記録している。また、ＲＡＭ３０３は、ＣＰＵ３０１のワークエリアとして使用される。
【００４１】
現在位置算出プログラムは、たとえば、後述するＧＰＳユニット３１４および各種センサ３１５の出力情報に基づいて、車両の現在位置（ナビゲーション装置３００の現在位置）を算出させる。
【００４２】
経路探索プログラムは、後述する磁気ディスク３０５に記録されている地図データなどを利用して、出発地から目的地までの最適な経路を探索させる。ここで、最適な経路とは、目的地までの最短（または最速）経路やユーザが指定した条件に最も合致する経路などである。また、目的地のみならず、立ち寄り地点や休憩地点までの経路を探索してもよい。探索された誘導経路は、ＣＰＵ３０１を介して音声Ｉ／Ｆ３０８や映像Ｉ／Ｆ３１１へ出力される。
【００４３】
経路誘導プログラムは、経路探索プログラムを実行することによって探索された誘導経路情報、現在位置算出プログラムを実行することによって算出された車両の現在位置情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１１へ出力される。
【００４４】
キーワード入力プログラムは、キーワードの入力の受け付け中において、住所エリア属性またはジャンル属性について検索リストから検索項目を選択する選択モードへの遷移を受け付けるとともに、当該検索リストから検索項目の選択をユーザから受け付け、受け付けた検索項目を入力キーワードとして出力するプログラムである。また、キーワード入力プログラムは、所定時間以上キーワードの入力を受け付けない場合に、選択モードへの遷移を促す通知をおこなう通知プログラムを含む。
【００４５】
さらに、このキーワード入力プログラムは、入力されたキーワードを確定するに際し、入力されたキーワードに対して推測される候補キーワードを抽出して提示し、提示した候補キーワードのうち、ユーザから受け付けたものを入力キーワードとして出力するプログラムを含む。なお、キーワードの入力および入力キーワードの受け付けは、入力デバイス３１０を用いておこなわれる。
【００４６】
また、選択モードへの遷移を受け付ける提示、および選択モードへの遷移を促す通知は、ディスプレイ３１２によりおこなわれる。なお、図１に示したキーワード入力部１２０は、ＣＰＵ３０１と入力デバイス３１０と、ディスプレイ３１２によって実現される。すなわち、ＣＰＵ３０１がキーワード入力プログラムを実行し、ディスプレイ３１２に表示した候補キーワードのうち、入力デバイス３１０によってユーザからの入力を受け付けることにより、キーワード入力部１２０の機能を実現する。
【００４７】
属性設定プログラムは、入力キーワードに属性を設定するプログラムである。また、複数の入力キーワードを受け付けた場合には、各入力キーワードに属性を設定する。設定された属性は、ＣＰＵ３０１を介して映像Ｉ／Ｆ３１１へ出力される。なお、図１に示した設定部１３０は、ＣＰＵ３０１によって実現される。すなわち、ＣＰＵ３０１が属性設定プログラムを実行することにより、設定部１３０の機能を実現する。
【００４８】
情報検索プログラムは、属性設定プログラムによって属性が設定された入力キーワードに該当する地点を検索するプログラムである。検索された検索結果は、ＣＰＵ３０１を介して映像Ｉ／Ｆ３１１へ出力される。なお、図１に示した検索部１６０は、ＣＰＵ３０１によって実現される。すなわち、ＣＰＵ３０１が情報検索プログラムを実行することにより、検索部１６０の機能を実現する。
【００４９】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００５０】
磁気ディスク３０５に記録される情報の一例としては、各地点に関する情報を登録した検索用テーブル、検索手法を特定するための属性とキーワードとを対応付けた属性テーブル、ユーザからの属性の変更を受け付けた際の履歴情報などを記録する。検索用テーブルは、施設ごとの名称や位置に関する情報、施設ごとの住所情報、施設のジャンル情報などを記録したものであり、図１に示したデータベース１４０に記録されるものである。なお、検索用テーブルの詳細については、図５−１を用いて後述する。
【００５１】
また、属性テーブルは、属性ごとにキーワードを対応付けて分類したテーブルであり、図１に示したテーブル記憶部１１０に記録されるものである。なお、属性テーブルの詳細については、図４を用いて後述する。また、履歴情報は、たとえば、ユーザからの選択により、入力キーワードに設定する属性を変更した際の履歴を示したものである。なお、履歴テーブルの詳細については、図４を用いて後述する。
【００５２】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００５３】
音声Ｉ／Ｆ３０８は、音声出力用のスピーカ３０９に接続される。スピーカ３０９は、音声を出力する。入力デバイス３１０は、文字、数値、各種指示などの入力のための複数のキーを備えたリモコン、キーボード、マウス、タッチパネルなどが挙げられる。入力デバイス３１０は、リモコン、キーボード、マウス、タッチパネルのうち、いずれか一つの形態によって実現されてもよいし、複数の形態によって実現してもよい。
【００５４】
この入力デバイス３１０を用い、ユーザからキーワードの入力や、検索開始の入力のほか、属性を変更する際の入力などがおこなわれる。なお、図１に示したキーワード入力部１２０と、開始入力部１５０とは、入力デバイス３１０によって実現される。
【００５５】
映像Ｉ／Ｆ３１１は、ディスプレイ３１２に接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００５６】
ディスプレイ３１２には、検索リスト、入力キーワード、候補キーワード、属性、検索結果などが表示される。アイコン、カーソル、メニュー、ウインドウ、あるいは文字や画像などの各種データが表示される。
【００５７】
このディスプレイ３１２は、たとえば、ＣＲＴ、ＴＦＴ液晶ディスプレイ、プラズマディスプレイなどを採用することができる。ディスプレイ３１２は、たとえば、車両のダッシュボード付近に設置される。ディスプレイ３１２は、車両のダッシュボード付近のほか、車両の後部座席周辺などに設置するなどして、車両内に複数設置してもよい。なお、図１に示した検索出力部１７０は、ディスプレイ３１２またはスピーカ３０９によって実現される。
【００５８】
通信Ｉ／Ｆ３１３は、無線を介してネットワークに接続され、ナビゲーション装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００５９】
ＧＰＳユニット３１４は、ＧＰＳ衛星からの電波を受信し、車両の現在位置を示す情報を出力する。ＧＰＳユニット３１４の出力情報は、後述する各種センサ３１５の出力値とともに、ＣＰＵ３０１による車両の現在位置の算出に際して利用される。現在位置を示す情報は、たとえば緯度・経度、高度などの、地図データ上の１点を特定する情報である。
【００６０】
各種センサ３１５は、車速センサ、加速度センサ、角速度センサなどの、車両の位置や挙動を判断することが可能な情報を出力する。各種センサ３１５の出力値は、ＣＰＵ３０１による車両の現在位置の算出や、速度や方位の変化量の測定などに用いられる。
【００６１】
図１に示した地点検索装置１００が備えるテーブル記憶部１１０と、キーワード入力部１２０と、設定部１３０と、データベース１４０と、開始入力部１５０と、検索部１６０と、検索出力部１７０とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００６２】
すなわち、本実施例のナビゲーション装置３００は、ナビゲーション装置３００における記録媒体としてのＲＯＭ３０２に記録されている各種プログラムを実行することにより、図１に示した地点検索装置１００が備える機能を、図２に示した地点検索処理手順で実行することができる。
【００６３】
（磁気ディスクに記録される属性テーブルの一例）
つぎに、図４を用いて、磁気ディスク３０５に記録される属性テーブルの一例について説明する。図４は、磁気ディスク３０５に記録される属性テーブルの一例を示す説明図である。
【００６４】
図４において、属性テーブル４００は、属性４０１と、キーワード４０２と、ユーザ選択履歴４０３とを示している。属性４０１は、住所エリア検索を特定するための住所エリア属性、ジャンル検索をおこなうためのジャンル属性、名称検索を特定するための名称属性、電話番号検索を特定するための電話番号属性、からなる。
【００６５】
住所エリア属性は、地点の住所または地点のエリアを対象として検索をおこなうものである。ジャンル属性は、地点のジャンルを対象として地点の検索をおこなうものである。名称検索は、地点の名称を対象として地点の検索をおこなうものである。電話番号検索は、地点の電話番号を対象として地点の検索をおこなうものである。
【００６６】
なお、属性４０１は、図示していないが、このほかにも、ヨミ検索を特定するためのヨミ属性なども含む。このヨミ検索は、地点のヨミを対象として地点の検索をおこなうものであり、カタカナやひらがなで入力されたキーワードの検索をおこなうものである。具体的には、「東京」という地名に対し、「トウキョウ」や「とうきょう」が入力キーワードとして入力された場合にヨミ属性が設定される。なお、「さいたま」など、予めひらがなとして登録される地名に関しては、当該ひらがなに対して、住所エリア属性が設定される。
【００６７】
キーワード４０２は、属性４０１ごとに予め登録されているワードである。ユーザ選択履歴４０３は、ユーザからの属性の変更を受け付けた際の、変更した属性の履歴情報である。ここで、各属性について具体的に説明する。名称属性には、施設名などの固有名詞が多数記録されており、系列店などの支店名も記録されている。つまり、地図上に存在する固有の施設全てが名称属性に記録されている。
【００６８】
また、住所エリア属性には、地名が記録されている。つまり、地図上に存在する全ての地名が住所エリア属性に記録されている。なお、符号４１０に示すように、ユーザ選択履歴４０３には、「名称」が記録されているが、これは、「埼玉」４１１が入力され、住所エリア属性として判断した際に、ユーザから名称属性として変更されたことを示している。なお、この履歴は、所定期間内の過去の直近のものでもよいし、変更された回数が多いものとしてもよい。また、ジャンル属性には、施設のジャンルが記録されており、系列店などの商号もジャンルとして記録されている。
【００６９】
また、電話番号属性には、キーワード４０２として「０〜９の数字」が示されている。すなわち、数字が入力された場合に、電話番号属性が設定されることを示している。なお、電話番号属性のほかにも、郵便番号属性、マップコード属性などを記録してもよい。また、これら番号属性には、入力キーワードに対して属性を設定する際の優先順位を設定してもよい。
【００７０】
（磁気ディスクに記録される検索用テーブルの一例）
つぎに、図５−１を用いて、磁気ディスク３０５に記録される検索用テーブルの一例について説明する。図５−１は、磁気ディスク３０５に記録される検索用テーブルの一例を示す説明図である。
【００７１】
図５−１に示す検索用テーブルは、地点情報テーブル５１０と、住所テーブル５２０と、ジャンルテーブル５３０とからなる。地点情報テーブル５１０は、施設名称５１１、施設ヨミ５１２と、ジャンルコード５１３と、エリアコード５１４と、緯度経度５１５と、電話番号５１６とからなる。
【００７２】
施設名称５１１は、地図上に存在する全ての施設の名称である。施設ヨミ５１２は、施設名称５１１をカタカナで示したものである。ジャンルコード５１３は、施設をジャンル別に分類した際の、各ジャンルに設定される記号である。エリアコード５１４は、所定のエリアごとに設定される記号である。緯度経度５１５は、施設が位置する地点を示している。電話番号５１６は、施設の電話番号を示している。
【００７３】
住所テーブル５２０は、住所名称５２１と、エリアコード５１４と、緯度経度５１５とからなる。住所名称５２１は、地図上に存在する全ての地名である。この住所テーブル５２０は、住所名称５２１ごとにエリアコード５１４と緯度経度５１５とを対応付けて記録している。
【００７４】
ジャンルテーブル５３０は、ジャンル名称５３１と、ジャンルコード５１３とからなる。ジャンル名称５３１は、施設をジャンル別に分類した際の当該分類の名称であり、系列店などの商号も含む。ジャンルテーブル５３０は、ジャンル名称５３１ごとにジャンルコード５１３を対応付けて記録している。
【００７５】
（ディスプレイに表示される選択モードの一例）
つぎに、図５−２を用いて、ディスプレイ３１２に表示される選択モードの一例について説明する。図５−２は、ディスプレイ３１２に表示される選択モードの一例を示す説明図である。図５−２においては、選択モードについてのみ説明するものとし、属性の設定などについての表示画面の詳細については、図７〜１２を用いて後述する。
【００７６】
図５−２において、ディスプレイ３１２には、マルチ検索における初期画面５４０が表示されている。この初期画面５４０においては、５０音キー５４１と、リスト選択ボタン５４２とが表示されている。初期画面５４０において、ユーザによる５０音キー５４１の選択により、キーワードの受け付けがおこなわれる。一方、ユーザがリスト選択ボタン５４２を選択すると、選択モード画面５４５に移行する。
【００７７】
選択モード画面５４５では、検索リスト５４６が表示され、ユーザから、住所エリア属性の検索項目、ジャンル属性の検索項目、または、初期画面５４０への移行、のいずれか一つの選択を受け付けるようになっている。なお、このとき、５０音キー５４１からの入力については、受け付けないようになっている。この選択モード画面５４５において、「住所エリア」が選択されると、エリアリスト画面５５０に移行する。一方、選択モード画面５４５において、「ジャンル」が選択されると、ジャンルリスト画面５５５に移行する。
【００７８】
エリアリスト画面５５０には、検索項目として都道府県がユーザから選択可能に表示されている。なお、ユーザが都道府県を選択した場合に、当該選択した都道府県の市町村などをリスト化して表示することも可能である。一方、ジャンルリスト画面５５５には、検索項目として施設のジャンルがユーザから選択可能に表示されている。エリアリスト画面５５０にて「埼玉県」が選択され、ジャンルリスト画面５５５にて「競技場」が選択された場合、キーワード入力画面５６０に移行する。
【００７９】
なお、検索項目の選択は順次おこなわれるものであり、順番を付けて補足すると、（１）選択モード画面５４５において「住所エリア」が選択される、（２）エリアリスト画面５５０において「埼玉県」が選択される、（３）キーワード入力画面５６０に移行、（４）再度、リスト選択ボタン５４２が選択される、（５）選択モード画面５４５において「ジャンル」が選択される、（６）ジャンルリスト画面５５５において「競技場」が選択される、（７）キーワード入力画面５６０に移行する、となる。
【００８０】
キーワード入力画面５６０において、入力完了ボックス５６１には、住所エリア属性として「埼玉県」が入力キーワードとして入力されている。一方、入力完了ボックス５６２には、「競技場」が入力キーワードとして入力されている。また、キーワード入力画面５６０においては、ユーザによる５０音キー５４１の選択により、キーワードの受け付けが可能になっている。このようにして、検索リストを用いたユーザからの選択を受け付けることが可能になっている。
【００８１】
（ナビゲーション装置による属性設定処理の一例）
つぎに、図５−３を用いて、ナビゲーション装置３００による属性設定処理の一例について説明する。図５−３は、ナビゲーション装置３００による属性設定処理の一例を示すフローチャートである。
【００８２】
図５−３において、ナビゲーション装置３００のＣＰＵ３０１は、地図画面やメニュー画面などの状態から、マルチ検索が選択されたか否かを判断する（ステップＳ５７１）。マルチ検索が選択されるまで待機状態にあり（ステップＳ５７１：Ｎｏのループ）、マルチ検索が選択されると（ステップＳ５７１：Ｙｅｓ）、マルチ検索画面を表示する（ステップＳ５７２）。なお、マルチ検索画面は、図５−２に示した初期画面５４０である。
【００８３】
そして、キーワードの入力があったか否かを判断する（ステップＳ５７３）。キーワードの入力がない場合（ステップＳ５７３：Ｎｏ）、リスト選択ボタン５４２（図５−２参照）が選択されたか否かを判断する（ステップＳ５７４）。リスト選択ボタン５４２が選択されていないと判断した場合（ステップＳ５７４：Ｎｏ）、所定時間経過したか否かを判断する（ステップＳ５７５）。所定時間経過していないと判断した場合（ステップＳ５７５：Ｎｏ）、ステップＳ５７３に移行し、キーワードの入力があったか否かの判断をおこなう。
【００８４】
一方、所定時間経過したと判断した場合（ステップＳ５７５：Ｙｅｓ）、リスト選択ボタン５４２の選択を促す通知をおこなう（ステップＳ５７６）。なお、この通知は、「リストボタンを押してください」などの通知である。そして、ユーザによりリスト選択ボタン５４２が選択されるまで待機状態にあり（ステップＳ５７７：Ｎｏのループ）、リスト選択ボタン５７４が選択されると（ステップＳ５７７：Ｙｅｓ）、検索リストを表示する（ステップＳ５７８）。なお、この表示画面は、図５−２に示したエリアリスト画面５５０またはジャンルリスト画面５５５に相当する。
【００８５】
また、ステップＳ５７４において、リスト選択ボタン５４２が選択された場合（ステップＳ５７４：Ｙｅｓ）、ステップＳ５７８における検索リストの表示をおこなう。このあと、表示した検索リストの中から、検索項目の受け付けをおこない（ステップＳ５７９）、受け付けた検索項目を入力キーワードとして出力する（ステップＳ５８０）。そして、入力キーワードに第１属性を設定し（ステップＳ５８１）、検索開始の指示を受け付けたか否かを判断する（ステップＳ５８２）。
【００８６】
また、ステップＳ５７３において、キーワードが入力された場合（ステップＳ５７３：Ｙｅｓ）、入力キーワードに第２属性を設定し（ステップＳ５８３）、ステップＳ５８２における、検索開始の指示を受け付けたか否かの判断をおこなう。ステップＳ５８２において、検索開始の指示を受け付けていないと判断した場合（ステップＳ５８２：Ｎｏ）、ステップＳ５７３に移行し、キーワードの入力があったか否かの判断をおこなう。検索開始の指示を受け付けた場合（ステップＳ５８２：Ｙｅｓ）、検索処理をおこなう（ステップＳ５８４）。なお、検索処理については、図１３〜１５を用いて後述する。このあと、ディスプレイ３１２に検索結果を出力し（ステップＳ５８５）、一連の処理を終了する。
【００８７】
上述した表示画面および処理によれば、選択モードにて提示した検索リストから検索項目の選択をユーザから受け付け、受け付けた検索項目を入力キーワードとして、当該入力キーワードに特定の属性を設定して検索をおこなうようにしたので、ユーザが検索機能を使い慣れていない場合や、検索するためのワードが思い浮かばない場合などに、キーワードの入力をサポートすることができる。したがって、検索を迅速におこなうことができるとともに、ユーザが所望する検索をおこなうことができる。また、当該機能を使い慣れたユーザにとっては、たとえば、地名などを操作入力せずに、検索リストからキーワードを選択することができるので、検索を迅速におこなうことができる。
【００８８】
また、選択モードにて選択された入力キーワードに第１属性を設定し、ユーザ入力による入力キーワードに第２属性を設定し、第１属性により特定される検索手法を用いて第１キーワードに該当し、かつ、第２属性により特定される検索手法を用いて第２キーワードに該当する地点をデータベース１４０から検索するようにしたので、選択モードにて選択された第１キーワードおよびユーザ入力による第２キーワードによるＡＮＤ検索をおこなうことができる。したがって、ユーザにとって煩雑な操作となる入力については、検索リストから入力し、具体的なキーワードの入力については、手動入力することにより、迅速且つ的確な検索をおこなうことができる。
【００８９】
また、検索リストに表示する検索項目をジャンル属性または住所エリア属性の検索項目としたので、ユーザにとって煩雑な操作となる入力に対して、検索リストからの入力をおこなうことができる。
【００９０】
また、キーワードの入力の受け付け中において所定時間以上キーワードの入力を受け付けない場合に、選択モードへの遷移を促す通知をおこなうようにすれば、ユーザが検索機能を使い慣れていない場合や、検索するためのワードが思い浮かばない場合など、所定時間以上キーワードの入力がない場合に、選択モードへの遷移を促すことにより、キーワードの入力をサポートし、迅速且つ的確な検索をおこなうことができる。
【００９１】
（検索リストを用いない場合の属性設定処理の一例）
つぎに、図６−１および図６−２（以下、図６と称す）を用いて、検索リストを用いない場合の属性設定処理の一例について説明する。図６は、検索リストを用いない場合の属性設定処理の一例を示すフローチャートである。なお、図６においては、ユーザからマルチ検索の選択を受け付けたことにより地点検索時における初期画面が予め表示されていることを前提とする。なお、この入力画面は、図５−２に示した初期画面５４０と同様であるが、後述する図７を用いて再度説明する。
【００９２】
図６において、ナビゲーション装置３００のＣＰＵ３０１は、入力デバイス３１０を用いてユーザからキーワードが入力されたか否かを判断する（ステップＳ６０１）。キーワードが入力されるまで待機状態にあり（ステップＳ６０１：Ｎｏのループ）、キーワードが入力されると（ステップＳ６０１：Ｙｅｓ）、候補キーワードがあるか否かを判断する（ステップＳ６０２）。なお、候補キーワードは、詳細については図８を用いて後述するが、たとえば「さ」が入力された場合に推測される「さいたま」などである。
【００９３】
候補キーワードがあると判断した場合（ステップＳ６０２：Ｙｅｓ）、候補キーワードを、入力ボックスの下に表示される推奨変換候補ボックスに表示する（ステップＳ６０３）。そして、推奨変換候補ボックスに表示した候補キーワードの中から、ユーザによるキーワードの選択を受け付けたか否かを判断する（ステップＳ６０４）。候補キーワードの選択を受け付けた場合（ステップＳ６０４：Ｙｅｓ）、受け付けた候補キーワードを入力キーワードとして入力ボックスに表示する（ステップＳ６０５）。そして、図４に示した属性テーブル４００を用いて、入力ボックスに表示されたキーワードに属性を設定する（ステップＳ６０６）
【００９４】
このあと、引き続きキーワードの入力があるか否かを判断する（ステップＳ６０７）。キーワードの入力がある場合（ステップＳ６０７：Ｙｅｓ）、ステップＳ６０２に移行する。ステップＳ６０２において、候補キーワードがないと判断した場合（ステップＳ６０２：Ｎｏ）、具体的には、たとえば、「ん」や「っ」などで始まるキーワードが入力された場合、ステップＳ６０６に移行し、当該キーワードを入力キーワードとして属性を設定する。なお、このとき設定する属性は、たとえば、名称属性とするなどして予め定めておけばよい。
【００９５】
また、ステップＳ６０４において候補キーワードの選択を受け付けない場合（ステップＳ６０４：Ｎｏ）、ステップＳ６０６に移行し、入力ボックスに表示されているキーワードを入力キーワードとして属性を設定する。ステップＳ６０７において、引き続きキーワードの入力がないと判断した場合（ステップＳ６０７：Ｎｏ）、ユーザから属性の変更を受け付けたか否かを判断する（ステップＳ６０８）。
【００９６】
属性の変更を受け付けると（ステップＳ６０８：Ｙｅｓ）、受け付けた属性に変更する（ステップＳ６０９）。そして、属性が設定された入力キーワードのほかに、他のキーワードを入力する旨を受け付けたか否かを判断する（ステップＳ６１０）。なお、ステップＳ６１０の判断は、具体的には、図７に示す「追加ボタン」が選択されたか否かの判断である。一方、ステップＳ６０８において、属性の変更を受け付けない場合（ステップＳ６０８：Ｎｏ）、ステップＳ６１０に移行する。
【００９７】
他のキーワードを入力する旨を受け付けた場合（ステップＳ６１０：Ｙｅｓ）、属性が設定された入力キーワードを入力完了ボックスに表示させる（ステップＳ６１１）。なお、入力完了ボックスの表示については、図１２を用いて後述する。このあと、他のキーワードの入力を受け付け（ステップＳ６１２）、ステップＳ６０２に移行する。
【００９８】
一方、ステップＳ６１０において、他のキーワードを入力する旨を受け付けない場合（ステップＳ６１０：Ｎｏ）、検索開始の入力を受け付けたか否かを判断する（ステップＳ６１３）。検索開始の入力を受け付けるまで待機状態にあり（ステップＳ６１３：Ｎｏのループ）、検索開始の入力を受け付けると（ステップＳ６１３：Ｙｅｓ）、属性ごとのテーブルを用いて検索をおこなう（ステップＳ６１４）。なお、検索処理の詳細については、図１３〜１５を用いて後述する。このあと、ディスプレイ３１２に検索結果を表示し（ステップＳ６１５）、一連の処理を終了する。
【００９９】
（地点検索時における入力画面の一例）
つぎに、図７を用いて、地点検索時における入力画面の一例について説明する。図７は、地点検索時における入力画面の一例を示す説明図である。なお、図７に示す説明図は、図６に示したフローチャートの前提として表示される画面を示す。
【０１００】
図７において、ディスプレイ３１２には、５０音キー７０１と、入力ボックス７０２と、推測変換候補ボックス７０３と、属性タブ７０４と、追加ボタン７０５と、検索開始ボタン７０６とが表示されている。５０音キー７０１には、日本語のひらがなが一覧表記されており、タッチパネルにより、ユーザからの入力を受け付けるようになっている。入力ボックス７０２は、５０音キー７０１から入力されたキーワードを表示する。
【０１０１】
推測変換候補ボックス７０３は、５０音キー７０１から入力された文字を基に、候補キーワードを表示する。属性タブ７０４は、入力キーワードに設定する属性を示すものであり、５０音キー７０１から入力された文字に属性が設定された際に、設定された属性に対応するタブがアクティブに表示される。追加ボタン７０５は、属性の異なる他のキーワードを入力する場合に、ユーザからの選択を受け付ける。検索開始ボタン７０６は、入力ボックス７０２に表示されている入力キーワードに該当する地点について検索の開始を受け付ける。
【０１０２】
（ユーザからキーワードの入力を受け付けた際の表示画面の一例）
つぎに、図８を用いて、ユーザからキーワードの入力を受け付けた際の表示画面の一例について説明する。図８は、ユーザからキーワードの入力を受け付けた際の表示画面の一例を示す説明図である。なお、図８に示す説明図は、図６に示したフローチャートのステップＳ６０３において表示される画面を示す。
【０１０３】
図８において、ユーザが５０音キー７０１の「さ」を入力したことにより、入力ボックス７０２には、「さ」が表示されている。推測変換候補ボックス７０３には、「さ」から推測される候補キーワードが表示されており、たとえば、地名である「さいたま」、「佐賀」のほか、コンビニエンスストアのジャンルの「サークルストア」などが表示される。なお、この候補キーワードは、たとえば、ユーザが「さ」を入力した際の直近の履歴を基に抽出されたキーワードである。
【０１０４】
推測変換候補ボックス７０３に表示される候補キーワードは、タッチパネルによってユーザからの選択を受け付けるようになっている。この表示画面において、たとえば、ユーザが推測変換候補ボックス７０３の中から「さいたま」を選択したとすると、図９に示す表示画面に移行する。
【０１０５】
（入力キーワードに属性を設定した際の表示画面の一例）
つぎに、図９を用いて、入力キーワードに属性を設定した際の表示画面の一例について説明する。図９は、入力キーワードに属性を設定した際の表示画面の一例を示す説明図である。なお、図９に示す説明図は、図６に示したフローチャートのステップＳ６０６において表示される画面を示す。
【０１０６】
図９において、入力ボックス７０２には、「さいたま」が表示されている。そして、符号９００に示すように、「さいたま」に対応する住所エリア属性を示す属性タブ７０４がアクティブになって表示されている。また、推測変換候補ボックス７０３には、「さいたま」の後に続いて入力が推測される候補キーワードが表示されている。この表示画面において、推測変換候補ボックス７０３の中から、ユーザが「国立美術館」を選択したとすると、図１０に示す表示画面に移行する。
【０１０７】
（キーワードが変更されたことにより属性を変更した際の表示画面の一例）
つぎに、図１０を用いて、キーワードが変更されたことにより属性を変更した際の表示画面の一例について説明する。図１０は、キーワードが変更されたことにより属性を変更した際の表示画面の一例を示す説明図である。なお、図１０に示す説明図は、図６に示したフローチャートにおいて、引き続き入力があった場合の（ステップＳ６０７：Ｙｅｓ）、ステップＳ６０６において表示される画面を示す。
【０１０８】
図１０において、入力ボックス７０２には、「さいたま国立美術館」が入力されている。そして、符号１０００に示すように、「さいたま国立美術館」に対応する名称属性を示す属性タブ７０４がアクティブになって表示されている。この表示画面において、ユーザにより検索開始ボタン７０６が選択されると、「さいたま国立美術館」に該当する地点の名称検索がおこなわれる。一方、この表示画面において、追加ボタン７０５が選択されると図１１に示す表示画面に移行する。
【０１０９】
（ユーザの選択により属性を変更した際の表示画面の一例）
つぎに、図１１を用いて、ユーザの選択により属性を変更した際の表示画面の一例について説明する。図１１は、ユーザの選択により属性を変更した際の表示画面の一例を示す説明図である。なお、図１１に示す説明図は、図６に示したフローチャートにおいて、引き続き入力があった場合の（ステップＳ６０７：Ｙｅｓ）、ステップＳ６０９において表示される画面を示す。
【０１１０】
図１１において、ユーザがタッチパネルの属性タブ７０４のうち、ジャンル属性を示す項目を選択したことにより、「さいたま国立美術館」がジャンル属性に設定されるとともに、符号１１００に示すように、ジャンル属性を示す属性タブ７０４がアクティブになって表示されている。なお、この表示画面において、ユーザが名称属性を示す属性タブ７０４を選択することによって、再度、名称属性に設定することも可能である。また、住所エリア属性、ヨミ（仮名）属性、または電話番号属性を示す属性タブ７０４を選択すると、それぞれ対応する属性に設定することも可能になっている。なお、たとえば、「さいたま国立美術館」にジャンル属性や電話番号属性を設定し、ジャンル検索や電話番号検索をおこなったとしても、検索結果としては該当なしという検索結果となる。
【０１１１】
上述した属性設定処理および表示画面によれば、入力キーワードに属性を設定し、当該属性により特定される検索手法を用いて、当該入力キーワードに該当する地点を検索するようにしたので、検索をおこなうにあたりユーザからの検索手法の設定を要することのない、所謂フリーキーワードによる検索をおこなうことができる。したがって、ユーザは、検索手法を設定することによる煩わしさを低減できるとともに、検索手法の誤認を低減することにより、適正な検索結果を得ることができる。
【０１１２】
また、入力キーワードに設定されている属性の変更をユーザから受け付けるようにしたので、設定された属性がユーザの所望するものと異なる場合に、ユーザの所望する属性に変更することができる。したがって、ユーザの所望する属性を反映させた適正な検索結果を得ることができる。
【０１１３】
また、属性の変更を受け付けた履歴情報を記憶するようにし、テーブルおよび履歴情報を参照して、入力キーワードに属性を設定するようにしたので、あるキーワードにおいて、テーブルに予め登録されている属性とユーザの所望する属性とが異なるようなことがあっても、毎回ユーザが属性を変更する必要はなく、次回以降の属性の設定時に、ユーザの所望する属性を設定させることができる。
【０１１４】
また、キーワードの入力にあたり、候補キーワードを抽出してユーザに提示し、提示した中から受け付けた候補キーワードを入力キーワードとして出力するようにしたので、ユーザのキーワード入力をサポートすることができ、ユーザの入力操作の負担を軽減することができる。
【０１１５】
（複数の入力キーワードに属性を設定した際の表示画面の一例）
つぎに、図１２を用いて、複数の入力キーワードに属性を設定した際の表示画面の一例について説明する。図１２は、複数の入力キーワードに属性を設定した際の表示画面の一例を示す説明図である。なお、図１２に示す説明図は、図６に示したフローチャートにおいて、ステップＳ６１１およびステップＳ６１２において表示される画面を示す。なお、図１２に示す表示画面は、図８〜１１にて示したキーワードとは無関係の画面を示している。
【０１１６】
図１２において、表示画面には、入力完了ボックス１２０１，１２０２が表示されている。この入力完了ボックス１２０１には、「さいたま」という入力キーワードに住所エリア属性が設定されている旨が表示されている。これは、入力ボックス７０２に「さいたま」の入力キーワードが入力され、当該入力キーワードに住所エリア属性が設定されたことを示している。
【０１１７】
さらに、入力完了ボックス１２０２には、「競技場」の入力キーワードにジャンル属性が設定されている旨が表示されている。これは、「さいたま」が入力された後に、ユーザから追加ボタン７０５が選択され、「競技場」の入力キーワードが入力されたことにより、当該入力キーワードにジャンル属性が設定されたことを示している。
【０１１８】
また、この表示画面において、入力ボックス７０２には、「浦和」の入力キーワードが入力されており、符号１２０３に示すように、名称属性を示す属性タブ７０４がアクティブになって表示されている。なお、「浦和」のキーワードは、本来であれば住所エリア属性が設定されるが、ここでは名称属性が設定されている。これは、住所エリア属性として既に「さいたま」が登録されていることにより、住所属性の入力を受け付けないように予め設定しているためである。なお、住所エリア属性が既に登録されている場合であっても、再度、住所エリア属性の入力を受け付け可能に予め設定しておくことも可能である。
【０１１９】
この表示画面において、ユーザが検索開始ボタン７０６を選択すると、３つの入力キーワードについて、設定されている各属性により、住所エリア検索、ジャンル検索、および名称検索がおこなわれる。以下に、図１３〜１５を用いて、検索処理の詳細について説明する。
【０１２０】
（ナビゲーション装置による検索処理の詳細の一例）
つぎに、図１３〜１５を用いて、ナビゲーション装置による検索処理の詳細の一例について説明する。図１３は、地点検索処理におけるエリアコードの抽出処理の一例を示すフローチャートである。図１３に示すフローチャートは、住所エリア属性が設定された入力キーワードからエリアコードを抽出するときの処理を示している。なお、図１３においては、図１２に示した表示画面を前提とし、すなわち、「さいたま」の入力キーワードに住所エリア属性が設定され、「競技場」の入力キーワードにジャンル属性が設定され、「浦和」の入力キーワードに名称属性が設定されていることを前提とする。
【０１２１】
図１３において、ナビゲーション装置３００のＣＰＵ３０１は、住所エリアの入力キーワード（「さいたま」）と、図５−１に示した住所テーブル５２０中の住所名称とを照合する（ステップＳ１３０１）。そして、照合の結果、一致するものがあったか否かを判断する（ステップＳ１３０２）。一致するものがあったと判断した場合（ステップＳ１３０２：Ｙｅｓ）、一致した住所名称に対応するエリアコード「１１１００」（図５−１、符号５１４参照）を抽出する（ステップＳ１３０３）。
【０１２２】
そして、抽出したエリアコード「１１１００」を、バッファ１（たとえば、磁気ディスクドライブ３０４のドライブバッファ）に保存する（ステップＳ１３０４）。なお、バッファの数字は、各属性による検索結果ごとに便宜上定めた数字である。一方、ステップＳ１３０２において、照合の結果、一致するものがないと判断した場合（ステップＳ１３０２：Ｎｏ）、バッファ１に無効値を保存し（ステップＳ１３０５）、一連の処理を終了する。なお、無効値とは、当該入力キーワードに該当する地点がない旨を示すものである。
【０１２３】
図１４は、地点検索処理におけるジャンルコードの抽出処理の一例を示すフローチャートである。図１４に示すフローチャートは、ジャンル属性が設定された入力キーワードからジャンルコードを抽出するときの処理を示している。
【０１２４】
図１４において、ナビゲーション装置３００のＣＰＵ３０１は、ジャンル名称の入力キーワード（「競技場」）と、図５−１に示したジャンルテーブル５３０中のジャンル名称とを照合する（ステップＳ１４０１）。そして、照合の結果、一致するものがあったか否かを判断する（ステップＳ１４０２）。一致するものがあったと判断した場合（ステップＳ１４０２：Ｙｅｓ）、一致したジャンル名称に対応するジャンルコード「１」（図５−１、符号５１３参照）を抽出する（ステップＳ１４０３）。
【０１２５】
そして、抽出したジャンルコード「１」を、バッファ２に保存する（ステップＳ１４０４）。一方、ステップＳ１４０２において、照合の結果、一致するものがないと判断した場合（ステップＳ１４０２：Ｎｏ）、バッファ２に無効値を保存し（ステップＳ１４０５）、一連の処理を終了する。
【０１２６】
図１５は、地点検索処理における名称検索処理の一例を示すフローチャートである。図１５に示すフローチャートは、名称属性が設定された入力キーワード、図１３に示したエリアコードの抽出処理により抽出されたエリアコード、および図１４に示したジャンルコードの抽出処理により抽出されたジャンルコード、を用いて施設を特定する際の処理を示している。
【０１２７】
図１５において、ナビゲーション装置３００のＣＰＵ３０１は、バッファ１に保存されたエリアコード「１１１００」を取得する（ステップＳ１５０１）。そして、取得したエリアコード「１１１００」と、図５−１に示した地点情報テーブル５１０中のエリアコードとを照合する（ステップＳ１５０２）。そして、照合の結果、一致するものがあったか否かを判断する（ステップＳ１５０３）。一致するものがあったと判断した場合（ステップＳ１５０３：Ｙｅｓ）、一致した地点情報を抽出し、検索用テーブルを作成する（ステップＳ１５０４）。なお、この検索用テーブルの詳細については図１６を用いて後述する。
【０１２８】
さらに、このあと、バッファ２に保存されたジャンルコード「１」を取得する（ステップＳ１５０５）。そして、取得したジャンルコード「１」と、ステップＳ１５０４にて作成した検索用テーブル中のジャンルコードとを照合する（ステップＳ１５０６）。そして、照合の結果、一致するものがあったか否かを判断する（ステップＳ１５０７）。一致するものがあったと判断した場合（ステップＳ１５０７：Ｙｅｓ）、一致した地点情報を抽出し、検索用テーブルを再作成する（ステップＳ１５０８）。
【０１２９】
そして、施設名称の入力キーワード（「浦和」）と、ステップＳ１５０８にて再作成した検索用テーブルの中の施設名称とを照合する（ステップＳ１５０９）。そして、照合の結果、一致するものがあったか否かを判断する（ステップＳ１５１０）。一致するものがあったと判断した場合（ステップＳ１５１０：Ｙｅｓ）、一致した地点情報を抽出し、バッファ３に保存する（ステップＳ１５１１）。そして、バッファ３に保存した地点情報を検索結果として出力し（ステップＳ１５１２）、一連の処理を終了する。
【０１３０】
一方、ステップＳ１５０３において、エリアコードと、地点情報テーブル５１０中のエリアコードとの照合の結果、一致するものがないと判断した場合（ステップＳ１５０３：Ｎｏ）、該当する地点情報がない旨を出力し（ステップＳ１５１３）、一連の処理を終了する。また、ステップＳ１５０７において、ジャンルコードと検索用テーブル中のジャンルコードとの照合の結果、一致するものがないと判断した場合（ステップＳ１５０７：Ｎｏ）、ステップＳ１５１３に移行する。また、ステップＳ１５１０において、施設名称の入力キーワードと、再作成した検索用テーブルの中の施設名称との照合の結果、一致するものがないと判断した場合（ステップＳ１５１０：Ｎｏ）、ステップＳ１５１３に移行する。
【０１３１】
（検索処理において作成される検索用テーブルの一例）
つぎに、図１６を用いて、検索処理において作成される検索用テーブルの一例について説明する。図１６は、検索処理において作成される検索用テーブルの一例を示す説明図である。
【０１３２】
図１６において、第１検索用テーブル１６１０は、取得したエリアコード「１１１００」と、図５−１に示した地点情報テーブル５１０との照合の結果、一致するものがあった場合に、一致した地点情報を抽出したテーブルを示している。すなわち、第１検索用テーブル１６１０は、地点情報テーブル５１０の中から、エリアコード「１１１００」（「さいたま」）を抽出した際の施設情報を示したものである。
【０１３３】
第２検索用テーブル１６２０は、取得したジャンルコード「１」と、第１検索用テーブル１６１０中のジャンルコードとの照合の結果、一致するものがあった場合に、一致した地点情報を抽出することにより、再作成したテーブルを示している。すなわち、第２検索用テーブル１６２０は、第１検索用テーブル１６１０の中からジャンルコード「１」（「競技場」）を抽出した際の、施設名称を示している。
【０１３４】
検索結果１６３０は、施設名称の入力キーワード（「浦和」）と、第２検索用テーブル１６２０の中の施設名称との照合の結果、一致するものがあった場合に、一致した地点情報を抽出することにより、出力される検索結果を示している。すなわち、検索結果１６３０は、第２検索用テーブル１６２０の中から「浦和」の文字を含む施設情報を示している。つまり、「浦和スタジアム」が検索結果１６３０として出力されることを示している。
【０１３５】
なお、上述した説明においては、第１検索用テーブル１６１０を作成するエリア検索、第２検索用テーブルを作成するジャンル検索、第２検索用テーブルから地点情報を抽出する名称検索、の順に検索をおこなうようにしているが、各検索の順番については、任意である。また、検索結果１６３０が出力される際の表示画面については、図１７および図１８を用いて以下に説明する。
【０１３６】
（検索結果を出力した際の表示画面の一例）
つぎに、図１７および図１８を用いて、検索結果を出力した際の表示画面の一例について説明する。図１７は、１件の検索結果を出力した際の表示画面の一例を示す説明図である。
【０１３７】
図１７において、ディスプレイ３１２には、検索結果画面１７１０と、地図画面１７２０とが表示されている。検索結果画面１７１０には、検索結果として「浦和スタジアム」の住所などが表示される。また、検索結果画面１７１０には、「浦和スタジアム」を目的地に設定するか否かの入力を受け付ける選択ボタン１７１１が表示されている。この選択ボタン１７１１のうち、ユーザが「はい」を選択すると、「浦和スタジアム」を目的地として設定する。
【０１３８】
地図画面１７２０には、「浦和スタジアム」を中心に、周辺の地図が表示されている。なお、この検索結果画面１７１０においては、１件のみの検索結果を示しているが、検索結果が複数の場合には、複数件の検索結果を表示することもある。検索結果が複数件表示される際の表示画面については、図１８を用いて以下に説明する。
【０１３９】
図１８は、複数件の検索結果を出力した際の表示画面の一例を示す説明図である。図１８において、ディスプレイ３１２には、複数の検索結果が列挙されて表示されている。この表示画面において、たとえば、「浦和スタジアム」がユーザにより選択されると、図１７に示した表示画面に移行する。なお、「浦和スタジアム」以外の他の地点がユーザにより選択された場合にも同様に、それぞれの検索結果画面や地図画面が表示された表示画面に移行する。
【０１４０】
上述した検索処理および表示画面によれば、複数のキーワード（「さいたま」、「競技場」、「浦和」）を受け付け、各入力キーワードに属性を設定するとともに、各属性により特定される検索手法を用いて、各入力キーワードに該当する地点を検索するようにしたので、属性の異なる複数の入力キーワードの入力を同一画面上にておこなうことができる。
【０１４１】
以上説明したように、本実施例にかかるナビゲーション装置３００によれば、選択モードにて提示した検索リストから検索項目の選択をユーザから受け付け、受け付けた検索項目を入力キーワードとして、当該入力キーワードに特定の属性を設定して検索をおこなうようにしたので、ユーザが検索機能を使い慣れていない場合や、検索するためのワードが思い浮かばない場合などに、キーワードの入力をサポートすることができる。したがって、検索を迅速におこなうことができるとともに、ユーザが所望する検索をおこなうことができる。また、当該機能を使い慣れたユーザにとっては、たとえば、地名などを操作入力せずに、検索リストからキーワードを選択することができるので、検索を迅速におこなうことができる。
【０１４２】
また、本実施例にかかるナビゲーション装置３００によれば、検索をおこなうにあたりユーザからの検索手法の設定を要することのない、所謂フリーキーワードによる検索をおこなうことができる。これにより、ユーザは、検索手法を設定することによる煩わしさを軽減できるとともに、ユーザによる検索手法の誤認に伴う誤った検索を抑止することができることにより、的確な検索結果を得ることができる。
【０１４３】
以上のように、本発明の地点検索装置、地点検索方法、地点検索プログラム、および記録媒体によれば、キーワードの入力をサポートし、迅速且つ的確に検索をおこなうことができる。
【０１４４】
なお、本実施例で説明した地点検索方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１４５】
【図１】本実施の形態にかかる地点検索装置の機能的構成の一例を示すブロック図である。
【図２】本実施の形態にかかる地点検索装置の地点検索処理手順の一例を示すフローチャートである。
【図３】本実施例にかかるナビゲーション装置のハードウェア構成の一例を示すブロック図である。
【図４】磁気ディスクに記録される属性テーブルの一例を示す説明図である。
【図５−１】磁気ディスクに記録される検索用テーブルの一例を示す説明図である。
【図５−２】ディスプレイに表示される選択モードの一例を示す説明図である。
【図５−３】ナビゲーション装置による属性設定処理の一例を示すフローチャートである。
【図６−１】検索リストを用いない場合の属性設定処理の一例を示すフローチャートである。
【図６−２】検索リストを用いない場合の属性設定処理の一例を示すフローチャートである。
【図７】地点検索時における入力画面の一例を示す説明図である。
【図８】ユーザからキーワードの入力を受け付けた際の表示画面の一例を示す説明図である。
【図９】入力キーワードに属性を設定した際の表示画面の一例を示す説明図である。
【図１０】キーワードが変更されたことにより属性を変更した際の表示画面の一例を示す説明図である。
【図１１】ユーザの選択により属性を変更した際の表示画面の一例を示す説明図である。
【図１２】複数の入力キーワードに属性を設定した際の表示画面の一例を示す説明図である。
【図１３】地点検索処理におけるエリアコードの抽出処理の一例を示すフローチャートである。
【図１４】地点検索処理におけるジャンルコードの抽出処理の一例を示すフローチャートである。
【図１５】地点検索処理における名称検索処理の一例を示すフローチャートである。
【図１６】検索処理において作成される検索用テーブルの一例を示す説明図である。
【図１７】１件の検索結果を出力した際の表示画面の一例を示す説明図である。
【図１８】複数件の検索結果を出力した際の表示画面の一例を示す説明図である。
【符号の説明】
【０１４６】
１１０  テーブル記憶部
１２０  キーワード入力部
１３０  設定部
１４０  データベース
１５０  開始入力部
１６０  検索部
１７０  検索出力部
３００  ナビゲーション装置
【図１】
0005265234.tif 000002
【図２】
0005265234.tif 000003
【図３】
0005265234.tif 000004
【図４】
0005265234.tif 000005
【図５−１】
0005265234.tif 000006
【図５−２】
0005265234.tif 000007
【図５−３】
0005265234.tif 000008
【図６−１】
0005265234.tif 000009
【図６−２】
0005265234.tif 000010
【図７】
0005265234.tif 000011
【図８】
0005265234.tif 000012
【図９】
0005265234.tif 000013
【図１０】
0005265234.tif 000014
【図１１】
0005265234.tif 000015
【図１２】
0005265234.tif 000016
【図１３】
0005265234.tif 000017
【図１４】
0005265234.tif 000018
【図１５】
0005265234.tif 000019
【図１６】
0005265234.tif 000020
【図１７】
0005265234.tif 000021
【図１８】
0005265234.tif 000022